【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
ネットワーク装置による認証がうまくいったかどうか、及び前記ネットワーク装置によってデジタル装置が無線ネットワークへのアクセスを許可されたかどうかを示す応答部分と、ＵＲＬアドレスとを含む前記無線ネットワークに関連する認証応答メッセージを、前記ネットワーク装置から、前記デジタル装置によって受信するステップと、
前記認証応答メッセージ内の前記ＵＲＬアドレスを前記デジタル装置によって識別するステップと、
前記ＵＲＬアドレスに基づくウェブページからのコンテンツを、前記デジタル装置上に表示するステップと、
から構成されることを特徴とするネットワークにアクセスする方法。
【請求項２】
前記認証応答メッセージの前記応答部分が、前記ネットワーク装置による認証がうまくいかず、前記デジタル装置が前記無線ネットワークへのアクセスを許可されなかったことを示すことを特徴とする請求項１に記載の方法。
【請求項３】
前記ＵＲＬアドレスが載っている場合、前記ＵＲＬアドレスに基づく前記ウェブページのコンテンツを前記デジタル装置上に表示する前に、前記ＵＲＬアドレスがホワイトリストに載っているかどうかを判定するステップをさらに含むことを特徴とする請求項２に記載の方法。
【請求項４】
前記無線ネットワークへのアクセスを前記デジタル装置に与えるネットワーク装置の緯度および経度を示すジオロケーションメッセージを含むリダイレクションメッセージを、前記デジタル装置によって受信するステップをさらに含むことを特徴とする請求項１に記載の方法。
【請求項５】
前記無線ネットワークへのアクセスを前記デジタル装置に与える前記ネットワーク装置の物理的ロケーションを示すアドレスを含むアドレスメッセージを有するリダイレクションメッセージを、前記デジタル装置によって受信するステップをさらに含むことを特徴とする請求項１に記載の方法。
【請求項６】
地域メッセージと都市メッセージを含むアドレスメッセージを有するリダイレクションメッセージを前記デジタル装置によって受信するステップをさらに含み、
前記地域メッセージは前記デジタル装置に前記無線ネットワークへのアクセスを与える前記ネットワーク装置に関連した地域を含み、前記都市メッセージは前記ネットワーク装置に関連する都市を含むことを特徴とする請求項５に記載の方法。
【請求項７】
少なくとも部分的に前記アドレスメッセージに基づいて広告を選択するステップと、前記選択された広告を前記デジタル装置に送るステップとをさらに含むことを特徴とする請求項５に記載の方法。
【請求項８】
前記無線ネットワークに関連する予想データと前記アドレスメッセージの少なくとも一部とを比較することによって不正なネットワークを検出するステップと、前記検出に基づいて不正検出フラグを提供するステップとをさらに含むことを特徴とする請求項５に記載の方法。
【請求項９】
少なくとも部分的に前記アドレスメッセージに基づいて前記ネットワークのアクセス識別子を決定するステップをさらに含むことを特徴とする請求項５に記載の方法。
【請求項１０】
デジタル装置のクレデンシャルエンジンと、
ＵＲＬアドレスに基づくウェブページのコンテンツを前記デジタル装置上に表示するように構成された入力／出力インターフェイスと、
を備え、
前記クレデンシャルエンジンは、無線ネットワークに関連したネットワーク装置から認証応答メッセージ受信し、前記ネットワーク装置による認証がうまくいったかどうか、および前記ネットワーク装置によって前記デジタル装置が無線ネットワークへのアクセスを許可されたかどうかを示す応答部分と、前記ＵＲＬアドレスとを含む認証応答メッセージ内の前記ＵＲＬアドレスを識別するように構成されることを特徴とするネットワークにアクセスするシステム。
【請求項１１】
前記認証応答メッセージの前記応答部分が、前記ネットワーク装置による認証がうまくいかず、前記デジタル装置が前記無線ネットワークへのアクセスを許可されなかったことを示すことを特徴とする請求項１０に記載のシステム。
【請求項１２】
前記ＵＲＬアドレスが載っている場合、前記ＵＲＬアドレスに基づく前記ウェブページのコンテンツを入力／出力インターフェイスが前記デジタル装置上に表示する前に、前記ＵＲＬアドレスがホワイトリストに載っているかどうかを判定するように構成された中央サーバをさらに備えることを特徴とする請求項１１に記載のシステム。
【請求項１３】
前記クレデンシャルエンジンは、前記無線ネットワークへのアクセスを与えるネットワーク装置の緯度及び経度を示すジオロケーションメッセージを含むリダイレクションメッセージを受信するようにさらに構成されることを特徴とする請求項１０に記載のシステム。
【請求項１４】
前記クレデンシャルエンジンは、前記無線ネットワークへのアクセスを与えるネットワーク装置の物理的ロケーションを含んだアドレスメッセージを有するリダイレクションメッセージを受信するようにさらに構成されることを特徴とする請求項１０に記載のシステム。
【請求項１５】
前記クレデンシャルエンジンは、地域メッセージと都市メッセージを含むアドレスメッセージを有するリダイレクションメッセージを受信するように構成され、前記地域メッセージは、前記デジタル装置に前記無線ネットワークへのアクセスを与える前記ネットワーク装置に関連した地域を含み、前記都市メッセージは前記ネットワーク装置に関連する都市を含むことを特徴とする請求項１０に記載のシステム。
【請求項１６】
前記入力／出力インターフェイスは、前記アドレスメッセージに少なくとも部分的に基づいて選択される広告を受信するようにさらに構成されることを特徴とする請求項１４に記載のシステム。
【請求項１７】
前記クレデンシャルエンジンは、前記無線ネットワークに関連する予想データと前記アドレスメッセージの少なくとも一部とを比較することによって不正なネットワークを検出し、前記検出に基づいて不正検出フラグを提供するようにさらに構成されることを特徴とする請求項１４に記載のシステム。
【請求項１８】
前記クレデンシャルエンジンは、少なくとも部分的に前記アドレスメッセージに基づいて前記ネットワークのアクセス識別子を判定するようにさらに構成されることを特徴とする請求項１４に記載のシステム。
【請求項１９】
ある方法を実行するために、プロセッサによって実行可能な実行可能命令を含む持続的コンピュータ可読媒体であって、前記方法は、
ネットワーク装置による認証がうまくいったかどうか、及びデジタル装置がネットワーク装置により無線ネットワークへのアクセスを許可されたかどうかを示す応答部分と、ＵＲＬアドレス含む認証応答メッセージとを、前記無線ネットワークに関連した前記ネットワーク装置から受信するステップと、
前記認証応答メッセージ内の前記ＵＲＬアドレスを識別するステップと、
前記ＵＲＬアドレスに基づくウェブページからのコンテンツを表示するステップと、
から構成されることを特徴とする持続的コンピュータ可読媒体。
【請求項２０】
前記方法は、前記無線ネットワークへのアクセスを前記デジタル装置に与える前記ネットワーク装置の物理的ロケーションを示すアドレスを含むアドレスメッセージを有するリダイレクションメッセージを受信するステップをさらに含むことを特徴とする請求項１９に記載の持続的コンピュータ可読媒体。
【手続補正２】
【補正対象書類名】明細書
【補正対象項目名】００１５
【補正方法】変更
【補正の内容】
【００１５】
様々な実施形態では、方法が、認証がうまくいったかどうか、及びデジタル装置が無線ネットワークへのアクセスを許可されたかどうかを示す、無線ネットワークに関連する認
証応答メッセージをデジタル装置によって受信するステップと、認証応答メッセージ内の
ＵＲＬアドレスをデジタル装置によって識別するステップと、ＵＲＬアドレスのＵＲＬからのコンテンツをデジタル装置上に表示するステップとを含む。
【手続補正３】
【補正対象書類名】明細書
【補正対象項目名】００１６
【補正方法】変更
【補正の内容】
【００１６】
認証応答メッセージは、認証がうまくいかなかったこと、及びデジタル装置が無線ネットワークへのアクセスを許可されなかったことを示す場合もある。さらに、この方法は、ＵＲＬアドレスのＵＲＬをデジタル装置上に表示する前に、このＵＲＬがホワイトリストに載っているかどうかを判定するステップをさらに含むことができる。
【手続補正４】
【補正対象書類名】明細書
【補正対象項目名】００１９
【補正方法】変更
【補正の内容】
【００１９】
いくつかの実施形態では、例示的なシステムが、クレデンシャルエンジン及び入力／出力インターフェイスを備える。クレデンシャルエンジンは、認証がうまくいったかどうか、及びデジタル装置が無線ネットワークへのアクセスを許可されたかどうかを示す、無線ネットワークに関連する認証応答メッセージを受信して、この認証応答メッセージ内のＵＲＬアドレスを識別するように構成することができる。入力／出力インターフェイスは、ＵＲＬアドレスのＵＲＬからのコンテンツをデジタル装置上に表示するように構成することができる。
【手続補正５】
【補正対象書類名】明細書
【補正対象項目名】０１１７
【補正方法】変更
【補正の内容】
【０１１７】
本明細書で説明する実施形態では、ＷＩＳＰｒを使用しているかどうかに関わらず、ネットワークが、（スマートクライアントを使用するような）デジタル装置１０２に構造化された方法で情報を渡して、これを使用又は表示できるようにする。様々な実施形態では、（無線ルータなどの）ネットワーク装置１０４上のソフトウェア及び／又はファームウェアを、ＵＲＬアドレスなどの情報を提供するように構成することができる。追加情報を渡すためには、ネットワーク装置１０４を、デジタル装置１０２に追加のタグ及び情報を提供できるように修正することができる。ネットワーク装置１０４及び／又はネットワーク装置１０４上のソフトウェアが修正されると、ネットワーク装置１０４のオペレータ
は、（ＵＲＬ、メッセージ、ＧＰＳ座標、及び／又はロケーションなどの）デジタル装置に提供すべき情報を入力することができる。いくつかの実施形態では、オペレータが中央サーバを、情報を提供するように構成することができる。１つの例では、ネットワーク装置１０４が、中央サーバから情報を取り出し及び／又は別様に受け取ることができる。いくつかの実施形態では、デジタル装置１０２、及び／又はデジタル装置１０２上のソフトウェアが、ネットワーク装置１０４からメッセージを受け取り、このメッセージから情報を取り出し、及び／又はこのメッセージに少なくとも部分的に基づいて（ウェブページからのコンテンツを表示したり、又はユーザに情報を表示したりなどの）動作を行うように修正される。
【手続補正６】
【補正対象書類名】明細書
【補正対象項目名】０１１８
【補正方法】変更
【補正の内容】
【０１１８】
図１２は、いくつかの実施形態における、ＷＩＳＰｒプロトコルで構成されたネットワーク装置１０４からデジタル装置１０２が受信できる認証応答メッセージ１２００を示している。認証応答メッセージ１２０２は、メッセージタイプ１２０４、応答コード１２０６、応答メッセージ１２０８、ＵＲＬアドレス１２１０、ログオフＵＲＬアドレス１２１２、及び認証応答終了タグ１２１４を含むことができる。
【手続補正７】
【補正対象書類名】明細書
【補正対象項目名】０１１９
【補正方法】変更
【補正の内容】
【０１１９】
通常、ＷＩＳＰｒプロトコルで構成されたネットワーク装置１０４からデジタル装置１０２が受信した認証応答メッセージ１２００内では、メッセージタイプ１２０４、応答コード１２０６、応答メッセージ１２０８、及びログオフＵＲＬアドレス１２１２を見つけることができる。図１２では、メッセージタイプ１２０４を、認証通知である１２０として示している。応答コード１２０６は、ログインに成功してアクセスが認められたことを示す５０である。応答メッセージ１２０８はその日のメッセージを含み、ユーザに表示されるいずれのテキストであってもよい。応答メッセージ１２０８は、ＨＴＭＬリファレンスではない。ログオフＵＲＬアドレス１２１２はログオフへの参照を含み、図１２で
は、ログオフＵＲＬアドレス１２１２が、ｈｔｔｐ：／／ａｃｍｅｗｉｆｉ．ｃｏｍ／ｌｏｇｏｆｆを含む。
【手続補正８】
【補正対象書類名】明細書
【補正対象項目名】０１２０
【補正方法】変更
【補正の内容】
【０１２０】
応答メッセージに加えて、或いはこれの代わりに、（図１２ではＭｅｓｓａｇｅＵＲＬとして示す）ＵＲＬアドレス１２１０を追加してもよい。このＵＲＬアドレス１２１０を、ネットワークアクセスを求めるデジタル装置１０２が受信することができる。ＵＲＬアドレス１２１０は、デジタル装置１０２にＵＲＬを提供することができる。その後、デジタル装置１０２は、ユーザにＨＴＭＬ形式のメッセージを表示することなどの数多くの方法でこのＵＲＬを使用することができる。
【手続補正９】
【補正対象書類名】明細書
【補正対象項目名】０１２１
【補正方法】変更
【補正の内容】
【０１２１】
ＵＲＬアドレス１２１０は、「ｈｔｔｐ：／／ｗｗｗ．ａｃｍｅｗｉｆｉ．ｃｏｍ／
ｍｅｓｓａｇｅ」というＵＲＬを含む。受信側のデジタル装置１０２上でこの新たなタグに遭遇し、デジタル装置１０２がＨＴＭＬコンテンツを表示する能力を有している場合、デジタル装置１０２は、ＵＲＬのコンテンツを要求してこのコンテンツを表示することができる。様々な実施形態では、コンテンツプロバイダが、ウェブサイトのコンテンツが要求側装置にとって（例えば、コンテンツのサイズが装置の画面サイズに合うように）正しくフォーマットされることを保証することができる。いくつかの実施形態では、このＵＲＬがユーザにウェブページを提供し、（スクリプトなどを介して）追加機能を提供し、無線ネットワークをカスタマイズし、及び／又は認証を支援することができる。
【手続補正１０】
【補正対象書類名】明細書
【補正対象項目名】０１２２
【補正方法】変更
【補正の内容】
【０１２２】
様々な実施形態では、たとえ認証に失敗した場合でも、ＵＲＬアドレス１２１０のＵＲＬを表示することができる。いくつかの実施形態では、ＵＲＬがホワイトリストに載っ
ている場合にのみ、ＵＲＬアドレス１２１０のコンテンツをデジタル装置１０２上に表示することができる。１つの例では、中央サーバが、本明細書で説明したメッセージに含めるべき情報を受け取る。中央サーバは、情報内のＵＲＬを識別し、ＵＲＬアドレス１２１０に含めるべきＵＲＬを含める前に、このＵＲＬをホワイトリストに照らしてチェックすることができる。ＵＲＬがホワイトリストに載っていれば、中央サーバは、このＵＲＬ及び／又はＵＲＬアドレス１２１０をネットワーク装置１０４に提供することができる。ＵＲＬがホワイトリストに載っていなければ、中央サーバは、ＵＲＬアドレス１２１０を提供することができない。当業者であれば、ホワイトリストの代わりにブラックリストを使用して、ＵＲＬを提供すべきかどうかを判定してもよいことを理解するであろう。
【手続補正１１】
【補正対象書類名】明細書
【補正対象項目名】０１２３
【補正方法】変更
【補正の内容】
【０１２３】
図１３は、いくつかの実施形態における、ＷＩＳＰｒプロトコルで構成されていないネットワーク装置１０４からデジタル装置１０２が受信する認証応答メッセージ１３００を示している。認証応答メッセージ１３００は、開始タグ１３０２、応答メッセージ１３０４、及びＵＲＬアドレス１３０６を含む。応答メッセージ１３０４は、図１２の応答メッセージ１２０８と同様のものである。同様に、ＵＲＬアドレス１３０６も、図１２のＵＲＬアドレス１２１０と同じメッセージ及び機能を有することができる。いくつかの実施形態では、スマートクライアントではなくウェブブラウザを使用してログインしているユーザを対象とする通常のＨＴＭＬ応答ページに、認証応答メッセージ１３００、又は認証応答メッセージ１３００に含まれる情報を埋め込むことができる。
【手続補正１２】
【補正対象書類名】明細書
【補正対象項目名】０１３４
【補正方法】変更
【補正の内容】
【０１３４】
図１６は、いくつかの実施形態における、無線ネットワークを識別してアクセスするための例示的な処理のフロー図である。ステップ１６０２において、デジタル装置１０２が、リダイレクションページなどの情報をネットワーク装置１０４から受け取ることができる。ステップ１６０４において、無線ネットワークにアクセスしようとするデジタル装置１０２が、アクセス識別子を生成し、及び／又はネットワーク装置１０４により提供されたＳＳＩＤを使用することができる。図１０に関して説明したように、（ＳＳＩＤが無効又は別様に利用できないような場合）ルールモジュール９１２が、アクセスＩＤモジュール２２８を、アクセス識別子として使用できる別の情報を検索するように構成することができる。１つの例では、ルールモジュール９１２が、アクセスＩＤモジュール２２８を、ネットワーク装置１０４からＵＲＬアドレス１２１０、ジオロケーションメッセージ１４０２、及び／又はアドレスメッセージ１４０６を検索するように構成することができる。アクセスＩＤモジュール２２８を、ＵＲＬアドレス１２１０に基づいて新たなアクセス識別子を生成するように構成することもできる。いくつかの実施形態では、アクセスＩＤモジュール２２８が、ＵＲＬアドレス１２１０、ジオロケーションメッセージ１４０２、及び／又はアドレスメッセージ１４０６に基づいて新たなアクセス識別子を生成することができる。
【手続補正１３】
【補正対象書類名】明細書
【補正対象項目名】０１４２
【補正方法】変更
【補正の内容】
【０１４２】
デジタル装置１０２が認証に成功しなかったと判定した場合、デジタル装置１０２は、ステップ１６２２において、認証応答内にＵＲＬアドレス１２１０が存在するかどうかを判定する。本明細書で説明したように、コンテンツサーバ又はその他のデジタル装置は、ＵＲＬがホワイトリストに載っているかどうか、或いはＵＲＬがブラックリストに載っていないかどうかを判定することにより、ＵＲＬアドレス内にＵＲＬを提供できるかどうかを判定することができる。ＵＲＬがホワイトリストに載っており、及び／又はブラックリストに載っていない場合、このＵＲＬをＵＲＬアドレス１２１０に含めることができる。他の実施形態では、無線ネットワークのウォールドガーデン内にあるサーバ又はウェブサイトにＵＲＬを関連付けることができ、この結果、ホワイトリスト／ブラックリストによる判定が不要になる。
【手続補正１４】
【補正対象書類名】明細書
【補正対象項目名】０１４３
【補正方法】変更
【補正の内容】
【０１４３】
ステップ１６２４において、認証応答にＵＲＬアドレス１２１０が含まれていた場合、デジタル装置１０２は、このＵＲＬのコンテンツの全部又は一部をユーザに表示することができる。
【手続補正１５】
【補正対象書類名】図面
【補正対象項目名】図１６
【補正方法】変更
【補正の内容】
【図１６】
2012515956.tif 000001